(57)【要約】【課題】キートップに画像を表示できる入力部を備え、消費電力が極めて少ない携帯端末装置を提案する。【解決手段】携帯電話機１は、表示機能付操作入力部１５と、文字表示部１６と、光センサ２９とを備える。表示機能付操作入力部１５は、予め定められた表示がなく、任意の文字や記号などの画像を表示可能な複数のキートップ１９を有する。文字表示部１６はキートップ１９の近傍に設けられる。それぞれの文字表示部１６の表示は、対応するキートップ１９の入力値の少なくともいずれかに関連付けられる。携帯電話機１は、光センサ１９が検出した照度が所定の閾値以上に明るい場合には、キートップ１９を消灯させ、光センサが検出した照度が所定の閾値よりも暗い場合には、キートップ１９を点灯させる。【選択図】  図１
2010028474.tif 000002
【特許請求の範囲】
【請求項１】
複数の入力値が割り当てられ、前記入力値に対応させた画像を表示可能な複数の入力部と、
前記入力部の近傍に設けられ、前記入力部に割り当てられた前記入力値に関連付けられた表示を有する複数の文字表示部と、
周囲の照度を測定する光センサと、
前記光センサが検出した照度が所定の閾値以上に明るい場合には、前記入力部を消灯させ、前記光センサが検出した照度が所定の閾値よりも暗い場合には、前記入力部を点灯させる表示制御部とを備えたことを特徴とする携帯端末装置。
【請求項２】
前記表示制御部は、
前記光センサが検出した照度が所定の閾値よりも暗い場合には、前記入力部が操作されると、前記入力部を点灯させることを特徴とする請求項１に記載の携帯端末装置。
【請求項３】
前記表示制御部は、
前記入力部を点灯させてから、次に前記入力部が操作されるまでに所定の時間が経過すると前記入力部を消灯させることを特徴とする請求項２に記載の携帯端末装置。
【請求項４】
前記表示制御部は、
前記入力部に表示される文字種と、前記文字表示部に表示された文字種とが同じであれば、前記光センサが検出した照度が所定の閾値以上に明るい場合には、前記入力部を消灯させ、前記光センサが検出した照度が所定の閾値よりも暗い場合には、前記入力部を点灯させ、
前記入力部に表示される文字種と、前記文字表示部に表示された文字種とが異なれば、前記入力部を点灯させることを特徴とする請求項１に記載の携帯端末装置。
【請求項５】
前記表示制御部は、
前記光センサが検出した照度が所定の閾値よりも暗い場合には、前記入力部が操作されると、前記入力部を点灯させることを特徴とする請求項４に記載の携帯端末装置。
【請求項６】
前記表示制御部は、
前記入力部を点灯させてから、次に前記入力部が操作されるまでに所定の時間が経過すると前記入力部を消灯させることを特徴とする請求項５に記載の携帯端末装置。
【請求項７】
前記表示制御部は、
前記入力部に表示される文字種と、前記文字表示部に表示された文字種とが異なれば、前記入力部を消灯させた後、前記入力部が操作されると、前記入力部を点灯させることを特徴とする請求項６に記載の携帯端末装置。
【請求項８】
前記表示制御部は、
前記入力部に表示される画像の方向と、前記文字表示部に表示された文字の方向とが異なれば、前記入力部を点灯させることを特徴とする請求項４に記載の携帯端末装置。
【請求項９】
前記表示制御部は、
前記光センサが検出した照度が所定の閾値よりも暗い場合には、前記光センサが検出した照度が明るいほど前記入力部を明るく点灯させることを特徴とする請求項１から８のいずれか１項に記載の携帯端末装置。
【発明の詳細な説明】
【技術分野】
【０００１】
本発明は、画像を表示可能な入力部を備えた携帯端末装置に関する。
【背景技術】
【０００２】
一般に、携帯電話や携帯情報端末などの携帯端末装置は、テキスト情報や画像情報を表示するメインディスプレイと、複数の押しボタンスイッチなどの入力部を有する入力装置とを備える。
【０００３】
通常、押しボタンスイッチは、そのキートップに施された刻印や印刷などの表示によって、それぞれの押しボタンスイッチに割り当てられた入力値を識別できる。
【０００４】
また、より視覚的な効果を高めるため、押しボタンスイッチに発光ダイオードを備え、スイッチの切り替えにより発光、非発光を切り替えたり、発光色を切り替えたりするものが知られる。
【０００５】
さらに、特許文献１に記載の携帯端末装置は、予め定められた表示がなく、キートップに任意の画像を表示できる押しボタンスイッチを備える。
【特許文献１】特開２００３−３０３５２６号公報
【発明の開示】
【発明が解決しようとする課題】
【０００６】
従来の携帯端末装置では、押しボタンスイッチのキートップに任意の画像を表示することで、それぞれの押しボタンスイッチに割り当てられた入力値を識別できる。すなわち、それぞれの押しボタンスイッチに割り当てられた入力値を識別するためには、キートップに任意の画像を継続して表示する必要があった。
【０００７】
しかしながら、携帯端末装置は、キートップに任意の画像を表示するために、常に電力を消費することとなる。
【０００８】
他方、携帯端末装置は、電源部として電池を備え、電池には放電容量に限りがある。したがって、キートップに任意の画像を継続して表示する携帯端末装置は、短時間で電池を消耗し、使用可能時間が短くなる。
【０００９】
本発明は、キートップに画像を表示できる入力部を備え、消費電力が極めて少ない携帯端末装置を提案する。
【課題を解決するための手段】
【００１０】
前記の課題を解決するため本発明では、複数の入力値が割り当てられ、前記入力値に対応させた画像を表示可能な複数の入力部と、前記入力部の近傍に設けられ、前記入力部に割り当てられた前記入力値に関連付けられた表示を有する複数の文字表示部と、周囲の照度を測定する光センサと、前記光センサが検出した照度が所定の閾値以上に明るい場合には、前記入力部を消灯させ、前記光センサが検出した照度が所定の閾値よりも暗い場合には、前記入力部を点灯させる表示制御部とを備えたことを特徴とする。
【発明の効果】
【００１１】
本発明によれば、キートップに画像を表示できる入力部を備え、消費電力が極めて少ない携帯端末装置を提供できる。
【発明を実施するための最良の形態】
【００１２】
本発明に係る携帯端末装置の実施形態について図１から図１２を参照して説明する。図１は、本発明に係る携帯端末装置の一例である折りたたみ式の携帯電話機の外観図を示したものであり、図１（Ａ）は携帯電話機を開いた状態で示した正面図であり、図１（Ｂ）は、本発明に係る携帯端末装置の一例である折りたたみ式の携帯電話機を開いた状態で示した側面図である。また、図１（Ｃ）は携帯電話機を閉じた状態で示した正面図であり、図１（Ｄ）は、本発明に係る携帯端末装置の一例である折りたたみ式の携帯電話機を閉じた状態で示した側面図である。
【００１３】
図１（Ａ）乃至（Ｄ）に示すように、携帯電話機１は、ヒンジ部１１と、第１の筐体１２と、第２の筐体１３とを備える。第１の筐体１２と第２の筐体１３とは、中央のヒンジ部１１を境にヒンジ結合される。携帯電話機１は、ヒンジ部１１を介して矢印Ｘ方向と矢印Ｙ方向とに折り畳み可能に形成される。なお、図１（Ｃ）および図１（Ｄ）に示すように、携帯電話機１は、第１の筐体１２と第２の筐体１３とをヒンジ部１１回りに回動させて閉じた状態である。このとき、第１の筐体１２と第２の筐体１３とは、ほぼ重なり合う。
【００１４】
第１の筐体１２の正面には、表示機能付操作入力部１５と、文字表示部１６と、マイクロフォン１８とが設けられる。
【００１５】
表示機能付操作入力部１５は、予め定められた表示がなく、任意の文字や記号などの画像を表示可能な複数のキートップ１９（入力部）を有する。また、表示機能付操作入力部１５は、携帯電話機１の操作入力を受け付ける。それぞれのキートップ１９には、複数の入力値が割り当てられる。キートップ１９は、操作が行われる度に入力値を順次に切り換えることで、それぞれのキートップ１９毎に複数の入力値を入力可能に構成される。このとき、キートップ１９に表示される画像は、入力可能な入力値のすべてを表示しても良いし、操作が行われる度に入力値に対応させて変更しても良い。
【００１６】
表示機能付操作入力部１５は、携帯電話機１が矢印Ｘ方向に開かれると、回動軸Ｒｘを上方に位置させて、それぞれのキートップ１９に画像を表示させる。また、表示機能付操作入力部１５は、「０」〜「９」の数字、「あ」行から「わ」行および「ん」のひらがな文字やカタカナ文字、「Ａ」から「Ｚ」のアルファベット、「＠」や「／」などの記号文字などの文字種のうち、少なくともいずれかの文字種や、任意の画像を表示できる。なお、表示機能付入力部１５は状況に応じて、非表示にできる。それぞれのキートップ１９は、発呼キー２０、終話キー２１、電源キー２２、文字種選択キー２３、文字入力操作キー２４に割り当てられる。発呼キー２０、終話キー２１、電源キー２２、文字種選択キー２３、文字入力操作キー２４が押し下されると、それぞれのキーに対応させた入力値が携帯電話機１に入力される。
【００１７】
文字表示部１６はキートップ１９の近傍に設けられる。また、文字表示部１６は、それぞれのキートップ１９毎に対応させて設けられる。文字表示部１６は、第１の筐体１２に刻印あるいは印刷によって表示された文字や記号を有する。具体的には、文字表示部１６には、「０」〜「９」の数字、「あ」行から「わ」行および「ん」のひらがな文字やカタカナ文字、「Ａ」から「Ｚ」のアルファベット、「＠」や「／」などの記号文字などの文字種のうち、少なくともいずれかの文字種が表示される。それぞれの文字表示部１６の表示は、対応するキートップ１９の入力値の少なくともいずれかに関連付けられる。例えば、あるキートップ１９に割り当てられた入力値が「１」、「あ」行、「Ａ」から「Ｃ」の場合には、文字表示部１６には「１」、「あ」、「ＡＢＣ」の少なくともいずれかが表示される。なお、文字表示部１６は、第１の筐体１２の表面を覆う板状部材であっても良い。
【００１８】
マイクロフォン１８は、ヒンジ部１１が形成された第１の筐体１２の一方側の端部に対向する他方側の端部に偏倚させて設けられる。マイクロフォン１８は、通話時のユーザの音声を集音して電気信号に変換する。
【００１９】
なお、第１の筐体１２の背面側には、バッテリパック（図示省略）が挿着される。電源キー２２が操作されると、携帯電話機１はバッテリパックから供給された電力によって動作可能な状態に起動される。
【００２０】
他方、第２の筐体１３の正面には、主表示装置２７と、スピーカ２８と、光センサ２９とが設けられる。
【００２１】
主表示装置２７は、ＬＣＤ（Ｌｉｑｕｉｄ  Ｃｒｙｓｔａｌ  Ｄｉｓｐｌａｙ）、有機ＥＬディスプレイ（ＥｌｅｃｔｒｏＬｕｍｉｎｅｓｃｅｎｃｅ  Ｄｉｓｐｌａｙ）、無機ＥＬディスプレイ（ｉｎｏｒｇａｎｉｃ  ｅｌｅｃｔｒｏＬｕｍｉｎｅｓｃｅｎｃｅ  Ｄｉｓｐｌａｙ）、ＳＥＤ（Ｓｕｒｆａｃｅ−ｃｏｎｄｕｃｔｉｏｎ  Ｅｌｅｃｔｒｏｎ−ｅｍｉｔｔｅｒ  Ｄｉｓｐｌａｙ）などにより構成されるディスプレイである。
【００２２】
主表示装置２７には、電波の受信状態、電池残量、電話帳として登録されている相手先名や電話番号および送信履歴等の他、電子メールの内容、簡易ホームページ、外部のコンテンツサーバ（図示省略）から受信したコンテンツが表示される。
【００２３】
スピーカ２８は、ヒンジ部１１が形成された第２の筐体１３の一方側の端部に対向する他方側の端部に偏倚させて設けられる。スピーカ２８は、通話時に相手方から取得する受信信号から音声を出力する。ユーザは、第１の筐体１２のマイクロフォン１８およびスピーカ２８によって音声通話が可能である。
【００２４】
なお、携帯電話機１の所定の位置には、スピーカ２８の他に音声出力部としてのスピーカ（図示省略）も設けられる。
【００２５】
光センサ２９は、照度センサであり、携帯電話機１が暴露される環境の照度を検出する。また、光センサ２９は、主表示装置２７が発する光に阻害されずに照度を検出できるよう、第２の筐体１３の正面のうち主表示装置２７から十分に離間された位置に配置される。第１の筐体１２と第２の筐体１３の内部の所定の位置には、携帯電話機１の開閉状態を検知するための磁気測定部３０ａ、３０ｂ、および３０ｃが設けられる。
【００２６】
図２（Ａ）乃至（Ｅ）は、本発明に係る携帯端末装置の一例である折りたたみ式の携帯電話機がとりうる状態を示した図である。図２（Ａ）は図１（Ａ）の状態のとおり折りたたみ式の携帯電話機を開いた状態の図であり、図２（Ｂ）は、図２（Ａ）に示した状態から第１の筐体１２と第２の筐体１３とをヒンジ部１１回りに回動させて閉じた状態を示した図である。また、図２（Ｃ）は、図２（Ｂ）に示した閉じた状態から携帯電話機１がヒンジ部１１を介して矢印Ｙ方向に開かれた状態を示した図であり、表示機能付操作入力部１５は、回動軸Ｒｙを上方に位置させて、それぞれのキートップ１９に画像を表示させる。そして、図２（Ｄ）は、図２（Ａ）に示した状態で表示機能付操作入力部１５におけるキートップ１９に画像が表示されていない状態を示した図である。同様に、図２（Ｅ）は、図２（Ｃ）に示した状態で表示機能付操作入力部１５におけるキートップ１９に画像が表示されていない状態を示した図である。
【００２７】
なお、携帯電話機１がヒンジ部１１を介して矢印Ｘ方向に開かれた場合（図２（Ａ））を「縦開きの状態」と呼び、携帯電話機１がヒンジ部１１を介して矢印Ｙ方向に開かれた場合（図２（Ｃ））を「横開きの状態」と呼ぶ。磁気測定部３０ａ、３０ｂ、および３０ｃは、それぞれの検出結果に応じて携帯電話機１が縦開きの状態であるか、横開きの状態であるか、閉じた状態であるかを検出する。
【００２８】
図３は、本発明に係る携帯端末装置の一例である折りたたみ式の携帯電話機の表示機能付操作入力部の部分的な断面図である。図３に示すように、表示機能付操作入力部１５は、複数のキートップ１９と、スイッチ回路基板３３と、入力部表示装置３４とを備える。
【００２９】
キートップ１９は、透明な部材を用いて形成され、その背面に配置された入力部表示装置３４が透けて見える。キートップ１９の側面には、突出部３５が形成される。突出部３５は、入力部表示装置３４に表示される画像の観察に影響のない位置に形成される。
【００３０】
キートップ１９は、第１の筐体１２およびスイッチ回路基板３３によって突出部３５が挟持されて保持される。
【００３１】
スイッチ回路基板３３は絶縁基板上にそれぞれのキートップ１９に対応させた複数の接点３６や、接点３６間を繋ぐ配線（図示省略）や、絶縁層を有するスイッチ回路を有する。また、スイッチ回路基板３３は、それぞれのキートップ１９の直下部に、入力部表示装置３４からの表示光Ｌが透過する開口部３７を有する。入力部表示装置３４に表示された画像は、スイッチ回路基板３３の開口部３７と、キートップ１９とを透過してユーザに観察される。
【００３２】
ここで、入力部表示装置３４に表示され、キートップ１９を透過してユーザに観察される画像をキートップ表示画像と呼ぶ。
【００３３】
入力部表示装置３４は、スイッチ回路基板３３の背面に配置される。また、入力部表示装置３４は、薄型、軽量で低消費電力なディスプレイが用いられる。具体的には、入力部表示装置３４は、ＬＣＤ（Ｌｉｑｕｉｄ  Ｃｒｙｓｔａｌ  Ｄｉｓｐｌａｙ）、有機ＥＬディスプレイ（ＥｌｅｃｔｒｏＬｕｍｉｎｅｓｃｅｎｃｅ  Ｄｉｓｐｌａｙ）、無機ＥＬディスプレイ（ｉｎｏｒｇａｎｉｃ  ＥｌｅｃｔｒｏＬｕｍｉｎｅｓｃｅｎｃｅ  Ｄｉｓｐｌａｙ）、ＳＥＤ（Ｓｕｒｆａｃｅ−ｃｏｎｄｕｃｔｉｏｎ  Ｅｌｅｃｔｒｏｎ−ｅｍｉｔｔｅｒ  Ｄｉｓｐｌａｙ）などのディスプレイである。
【００３４】
なお、表示機能付操作入力部１５は、入力部表示装置３４と、入力部表示装置３４が表示する画像が透過できるタッチパネルとから構成しても良い。
【００３５】
図４は、本発明に係る携帯端末装置の一例である折りたたみ式の携帯電話機を示したブロック図である。図４に示すように、携帯電話機１は、主制御部４０と、電源回路部４１と、入力制御部４２と、表示制御部４３と、記憶部４４と、音声制御部４５と、通信制御部４６と、タイマ４７と、照度測定部４８と、磁気測定部３０ａ、３０ｂ、および３０ｃとを備え、それぞれがバスを介して相互に通信可能に接続される。
【００３６】
主制御部４０は、ＣＰＵ（Ｃｅｎｔｒａｌ  Ｐｒｏｃｅｓｓｉｎｇ  Ｕｎｉｔ）を備える。主制御部４０は、種々の制御信号を生成して各部に供給することによって携帯電話機１を統括的に制御する。主制御部４０は、例えば、入力制御部４２などの入力制御処理や、その他の様々な演算処理や制御処理等を行う。
【００３７】
電源回路部４１には、電源キー２２と、バッテリパックとが接続される。ユーザが電源キー２２を押し下すと、電源キー２２は、操作信号を出力する。電源回路部４１は、操作信号が入力されると、その旨を示す信号を生成して主制御部４０に出力するとともに、動作状態または停止状態の相互に携帯電話機１の状態を切り替える。携帯電話機１を動作状態にする場合には、電源回路部４１は、バッテリパックから各部に電力を供給する。
【００３８】
入力制御部４２は表示機能付操作入力部１５に接続される。表示機能付操作入力部１５のいずれかのキートップ１９が押し下されると、押し下されたキートップ１９に対応させた操作信号を生成して主制御部４０に出力する。
【００３９】
表示制御部４３は主表示装置２７および入力部表示装置３４に接続される。表示制御部４３は、主制御部４０の制御に基づいて、主表示装置２７および入力部表示装置３４の表示を無効にしたり有効にしたりする。また、表示制御部４３は、主制御部４０の制御に基づいて、文書データや画像データ等を主表示装置２７に表示させる。さらに、表示制御部４３は、主制御部４０の制御に基づいて、入力部表示装置３４にキートップ表示画像を表示させる。
【００４０】
音声制御部４５は、マイクロフォン１８に接続される。音声制御部４５は、主制御部４０の制御に基づいて、マイクロフォン１８が出力したアナログ音声信号をデジタル音声信号に変換し、通信制御部４６に出力する。また、音声制御部４５は、主制御部４０の制御に基づいて、通信制御部４６が出力した受信信号のうちデジタル音声信号をアナログ音声信号に変換し、スピーカ２８に出力する。スピーカ２８は、アナログ音声信号を変換して音声を出力する。
【００４１】
通信制御部４６は、主制御部４０の制御に基づいて、基地局からアンテナ５１を介して受信した電波をスペクトラム逆拡散処理して受信信号を復元する。この受信信号は、主制御部４０の指示により、音声制御部４５に入力されてスピーカ２８から音声出力されたり、表示制御部４３に入力されて主表示装置２７に表示されたり、または記憶部４４に記録されたりする。また、通信制御部４６は、主制御部４０の制御に基づいて、音声制御部４５が出力したデジタル音声信号や入力制御部４２から出力された操作信号や記憶部４４に記憶された情報信号を取得して、これらの信号にスペクトラム拡散処理を行い、アンテナ５１から基地局に送信する。
【００４２】
記憶部４４は、主制御部４０が行う処理について、処理プログラムや処理に必要な情報信号等を格納する。記憶部４４は、ＲＯＭ（Ｒｅａｄ  Ｏｎｌｙ  Ｍｅｍｏｒｙ）やハードディスク、不揮発性メモリ、主制御部４０が処理を行う際に使用されるデータを一時的に記憶するＲＡＭ（Ｒａｎｄｏｍ  Ａｃｃｅｓｓ  Ｍｅｍｏｒｙ）等から構成される。
【００４３】
タイマ４７は、携帯電話機１内の各部が参照する基準時刻信号を生成する。照度測定部４８には光センサ２９が接続される。照度測定部４８は、光センサ２９が検出した照度が所定の閾値以上に明るいときは表示制御部４３に入力部表示装置３４の表示停止信号を出力し、光センサ２９が検出した照度が所定の閾値より暗いときは表示制御部４３に入力部表示装置３４の表示開始信号を出力する。
【００４４】
なお、照度測定部４８は、複数の閾値に対応させて光センサ２９が検出した照度を段階的な照度レベル信号に変換して出力しても良い。このとき、表示制御部４３は照度測定部４８が出力した照度レベル信号に応じて、入力部表示装置３４の明るさを段階的に制御できる。具体的には、表示制御部４３は、携帯電話機１が暴露された環境の照度が所定の閾値以上に明るいときは、入力部表示装置３４を消灯させる。他方、表示制御部４３は、携帯電話機１が暴露された環境の照度が所定の閾値よりも暗いときは、携帯電話機１が暴露された環境の照度が暗いほど、入力部表示装置３４の光度を暗くして点灯させ、また、携帯電話機１が暴露された環境の照度が明るいほどは、入力部表示装置３４を明るく点灯させる。
【００４５】
磁気測定部３０ａ、３０ｂ、および３０ｃは、磁気の検出と非検出との組み合わせによって、携帯電話機１がＸ方向に開かれた状態か、Ｙ方向に開かれた状態か、閉じられた状態かを判断して主制御部４０に出力する。
【００４６】
次に、本実施形態に係る携帯電話機１の表示機能付操作入力部１５の表示動作を説明する。ここで、表示機能付操作入力部１５に表示されるキートップ表示画像を例示する。
【００４７】
図５は、本発明に係る携帯端末装置の一例である折りたたみ式の携帯電話機を開いた状態で示した正面図であり、表示機能付操作入力部の表示状態の一例を示した図である。
【００４８】
図５（Ａ）に示すように、例えば、携帯電話機１の文字表示部１６には、「０」〜「９」の数字、「あ」行から「わ」行のひらがな文字、「Ａ」から「Ｚ」のアルファベット、「＠」などの記号文字が表示される。他方、それぞれのキートップ１９には、「あ」行から「わ」行のひらがな文字がキートップ表示画像として表示される。
【００４９】
また、図５（Ｂ）に示すように、例えば、携帯電話機１の文字表示部１６には、「０」〜「９」の数字、「あ」行から「わ」行のひらがな文字、「Ａ」から「Ｚ」のアルファベット、「＠」などの記号文字が表示される。他方、それぞれのキートップ１９には、「０」〜「９」の数字、「＊」、「＃」がキートップ表示画像として表示される。
【００５０】
さらに、図５（Ｃ）に示すように、例えば、携帯電話機１の文字表示部１６には、「０」〜「９」の数字、「あ」行から「わ」行のひらがな文字、「Ａ」から「Ｚ」のアルファベット、「＠」などの記号文字が表示される。他方、それぞれのキートップ１９には、「Ａ」から「Ｚ」のアルファベットがキートップ表示画像として表示される。なお、図５（Ａ）乃至図５（Ｃ）は図示しないキーが押下されると、キートップ１９又は文字表示部１６が押下された場合の入力文字種別が異なるようになっており、例えば図５（Ａ）の状態においては、かな文字入力モードであり、その状態で１回図示しないキーを押下すると図５（Ｂ）の状態となって数字入力モードとなる。また、図５（Ｂ）の状態で再度図示しないキーが押下されると、図５（Ｃ）の状態となってアルファベット入力モードとなる。また、図５（Ｃ）の状態で再度図示しないキーが押下されると、図５（Ａ）の状態にもどりかな文字入力モードとなる。
【００５１】
図６は、本発明に係る携帯端末装置の一例である折りたたみ式の携帯電話機の表示機能付操作入力部の表示制御を示したフローチャートである。
【００５２】
図６に示すように、携帯電話機１に電源を投入して起動すると、先ず、ステップＳ１では、照度測定部４８は、光センサ２９が検出した照度と所定の閾値とを比較する。光センサ２９が検出した照度が所定の閾値以上の場合には、照度測定部４８は、携帯電話機１が暴露された環境は明るいと判断して表示停止信号を出力し、ステップＳ２に進む。その他の場合には、照度測定部４８は、携帯電話機１が暴露された環境は暗いと判断して表示停止信号を出力し、ステップＳ３に進む。
【００５３】
次に、ステップＳ２では、主制御部４０は、照度測定部４８が出力した表示停止信号を表示制御部４３に入力する。表示制御部４３は、表示停止信号に基づいて、入力部表示装置３４を消灯し、または消灯状態を維持してステップＳ１に戻る。このとき、携帯電話機１が暴露された環境は明るいので、ユーザは、図２（Ｄ）に示すように、文字表示部１６の表示からそれぞれのキートップ１９に割り当てられた文字や記号を知覚できる。したがって、携帯電話機１は、暴露された環境が明るいときは、入力部表示装置３４を発光させることなくバッテリパックの電力消費量を抑制できる。
【００５４】
次に、ステップＳ３では、主制御部４０は、照度測定部４８が出力した表示開始信号を表示制御部４３に入力する。表示制御部４３は、表示開始信号に基づいて、入力部表示装置３４を点灯し、または点灯状態を維持してステップＳ１に戻る。このとき、携帯電話機１が暴露された環境は暗いので、ユーザは、図２（Ａ）に示すように、キートップ表示画像からそれぞれのキートップ１９に割り当てられた文字や記号を知覚できる。また、表示制御部４３は、図５（Ａ）乃至図５（Ｃ）に示すように、キートップ表示画像を入力する文字種に対応させて表示しても良い。
【００５５】
すなわち、携帯電話機１は、暴露された環境が明るい場合には入力部表示装置３４を消灯し、暴露された環境が暗い場合には入力部表示装置３４を点灯する。ユーザは、携帯電話機１が暴露された環境が明るい場合には文字表示部１６の表示からそれぞれのキートップ１９に割り当てられた文字や記号を知覚し、携帯電話機１が暴露された環境が暗い場合にはキートップ表示画像からそれぞれのキートップ１９に割り当てられた文字や記号を知覚する。したがって、携帯電話機１は、その使用環境に応じて適宜に入力部表示装置３４の点灯状態と消灯状態とを切り換えて消費電力を抑制する。
【００５６】
図７は、本発明に係る携帯端末装置の一例である折りたたみ式の携帯電話機の表示機能付操作入力部の表示制御の他の例を示したフローチャートである。図７に示すように、携帯電話機１は、その使用環境に応じて入力部表示装置３４の点灯状態と消灯状態とを即座に切り換えず、ユーザによる携帯電話機１の操作の開始までは、入力部表示装置３４の点灯を待機する。また、携帯電話機１は、入力部表示装置３４が点灯してから、ユーザによる携帯電話機１の次の操作までに所定の時間が経過すると、入力部表示装置３４を消灯する。
【００５７】
携帯電話機１に電源を投入して起動すると、先ず、ステップＳ１１では、照度測定部４８は、光センサ２９が検出した照度と、所定の閾値とを比較する。光センサ２９が検出した照度が所定の閾値以上の場合には、照度測定部４８は、携帯電話機１が暴露された環境は明るいと判断して表示停止信号を出力し、ステップＳ１２に進む。その他の場合には、照度測定部４８は、携帯電話機１が暴露された環境は暗いと判断して表示停止信号を出力し、ステップＳ１３に進む。
【００５８】
次に、ステップＳ１２では、主制御部４０は、照度測定部４８が出力した表示停止信号を表示制御部４３に入力する。表示制御部４３は、表示停止信号に基づいて、入力部表示装置３４を消灯し、または消灯状態を維持してステップＳ１１に戻る。このとき、携帯電話機１が暴露された環境は明るいので、ユーザは、図２（Ｄ）に示すように、文字表示部１６の表示からそれぞれのキートップ１９に割り当てられた文字や記号を知覚できる。したがって、携帯電話機１は、暴露された環境が明るいときは、入力部表示装置３４を発光させることなくバッテリパックの電力消費量を抑制できる。
【００５９】
次に、ステップＳ１３では、主制御部４０は、表示機能付操作入力部１５の任意のキートップ１９が操作されたか否か判断する。具体的には、表示機能付操作入力部１５の任意のキートップ１９が操作されると、入力制御部４２は任意の操作信号を出力する。主制御部４０は、この任意の操作信号の入力の有無を監視する。任意の操作信号が入力された場合には、主制御部４０は、表示機能付操作入力部１５の任意のキートップ１９が操作されたと判断して、ステップＳ１４に進む。その他の場合には、主制御部４０は、表示機能付操作入力部１５の任意のキートップ１９が操作されていないと判断して、ステップＳ１１に戻る。
【００６０】
次に、ステップＳ１４では、主制御部４０は、照度測定部４８が出力した表示開始信号を表示制御部４３に入力する。表示制御部４３は、表示開始信号に基づいて、入力部表示装置３４を点灯し、または点灯状態を維持する。このとき、携帯電話機１が暴露された環境は暗いので、ユーザは、図２（Ａ）に示すように、キートップ表示画像からそれぞれのキートップ１９に割り当てられた文字や記号を知覚できる。また、表示制御部４３は、図５（Ａ）乃至図５（Ｃ）に示すように、キートップ表示画像を入力する文字種に対応させて表示しても良い。
【００６１】
次に、ステップＳ１５では、入力制御部４２は、表示機能付操作入力部１５の任意のキートップ１９が操作されてから経過した時間と、所定の時間とを比較する。具体的には、入力制御部４２は、任意の操作信号を出力してから経過した時間と、所定の時間とを比較する。任意の操作信号を出力してから経過した時間が所定の時間以上の場合には、入力制御部４２は、ユーザによる携帯電話機１の操作が所定の時間内は行われなかったと判断して操作停止信号を出力し、ステップＳ１７に進む。その他の場合には、入力制御部４２は、ユーザによる携帯電話機１の操作の操作が所定の時間内に行われたと判断して操作継続信号を出力し、ステップＳ１６に進む。
【００６２】
次に、ステップＳ１６では、照度測定部４８は、光センサ２９が検出した照度と、所定の閾値とを比較する。光センサ２９が検出した照度が所定の閾値以上の場合には、照度測定部４８は、携帯電話機１が暴露された環境は明るいと判断して表示停止信号を出力し、ステップＳ１７に進む。その他の場合には、照度測定部４８は、携帯電話機１が暴露された環境は暗いと判断して表示停止信号を出力し、ステップＳ１５に戻る。
【００６３】
次に、ステップＳ１７では、主制御部４０は、照度測定部４８が出力した表示停止信号を表示制御部４３に入力する。表示制御部４３は、表示停止信号に基づいて、入力部表示装置３４を消灯してステップＳ１１に戻る。このとき、携帯電話機１が暴露された環境は暗いが、ユーザによる携帯電話機１の操作が所定の時間内に行われなかったことからそれぞれのキートップ１９に割り当てられた文字や記号を知覚する必要が減じていると判断する。したがって、携帯電話機１は、暴露された環境が暗くても、入力部表示装置３４を発光させることなくバッテリパックの電力消費量を抑制できる。
【００６４】
すなわち、携帯電話機１は、暴露された環境が明るい場合には入力部表示装置３４を消灯し、暴露された環境が暗い場合にはユーザによる携帯電話機１の操作の有無に対応させて入力部表示装置３４を点灯または消灯する。ユーザは、携帯電話機１が暴露された環境が明るい場合には文字表示部１６の表示からそれぞれのキートップ１９に割り当てられた文字や記号を知覚し、携帯電話機１が暴露された環境が暗い場合であって、携帯電話機１の操作を行う場合にはキートップ表示画像からそれぞれのキートップ１９に割り当てられた文字や記号を知覚する。したがって、携帯電話機１は、その使用環境およびユーザによる操作の有無に応じて適宜に入力部表示装置３４の点灯状態と消灯状態とを切り換えて消費電力を抑制する。
【００６５】
図８（Ａ）乃至図８（Ｃ）は、本発明に係る携帯端末装置の一例である折りたたみ式の携帯電話機を開いた状態で示した正面図であり、表示機能付操作入力部の表示状態の一例を示した図である。
【００６６】
図８（Ａ）乃至８（Ｃ）に示す携帯電話機１は、文字表示部１６に十分な面積が確保できず、それぞれのキートップ１９に割り当てられた入力値のうちいずれかの文字種のみが文字表示部１６に表示された例である。
【００６７】
図８（Ａ）に示すように、例えば、携帯電話機１の文字表示部１６には、「０」〜「９」の数字、「＊」、「＃」が表示される。他方、それぞれのキートップ１９には、キートップ表示画像が表示されていない。
【００６８】
さらに、図８（Ｂ）に示すように、例えば、携帯電話機１の文字表示部１６には、「０」〜「９」の数字、「＊」、「＃」が表示される。他方、それぞれのキートップ１９には、「あ」行から「わ」行のひらがな文字がキートップ表示画像として表示される。
【００６９】
また、図８（Ｃ）に示すように、例えば、携帯電話機１の文字表示部１６には、「０」〜「９」の数字、「＊」、「＃」が表示される。他方、それぞれのキートップ１９には、「０」〜「９」の数字、「＊」、「＃」がキートップ表示画像として表示される。
【００７０】
図８（Ａ）乃至図８（Ｃ）の状態は、その表示内容（または表示されない状態）について例えば以下の表示制御が行われる。図９は、本発明に係る携帯端末装置の一例である折りたたみ式の携帯電話機の表示機能付操作入力部の表示制御の他の例を示したフローチャートである。
【００７１】
図９に示すように、携帯電話機１は、文字表示部１６に表示された文字種と、入力部表示装置３４が表示する文字種とが同じ文字種か否かに応じて入力部表示装置３４の点灯または消灯する。
【００７２】
携帯電話機１に電源を投入して起動すると、先ず、ステップＳ２１では、表示制御部４３は、文字表示部１６に表示された文字種と、入力部表示装置３４が表示する文字種とを比較する。文字表示部１６に表示された文字種は、あらかじめ記憶部４４に記録される。また、携帯電話機１に電源を投入した初期に入力部表示装置３４が表示する文字種は、あらかじめ所要に決められる。ここでは、一例として、文字表示部１６には「０」〜「９」の数字が表示され、かつその旨が記憶部４４に記録されているものとする。
【００７３】
文字表示部１６に表示された文字種と、入力部表示装置３４が表示する文字種とが異なる場合には、表示制御部４３は、異種文字種表示準備信号を出力し、ステップＳ２２に進む。その他の場合には、表示制御部４３は、同一文字種表示準備信号を出力し、ステップＳ２５に進む。
【００７４】
なお、文字表示部１６に表示された文字種と、入力部表示装置３４が表示する文字種とが異なる場合とは、一例として図８（Ｂ）に示すように、文字表示部１６に表示された文字種と、キートップ１９で観察されるキートップ表示画像の文字種とが異なる場合である。また、その他の場合とは、一例として図８（Ｃ）に示すように、文字表示部１６に表示された文字種と、キートップ１９で観察されるキートップ表示画像の文字種とが同じ場合である。
【００７５】
また、図２（Ｃ）に示すように、携帯電話機１を横開き状態になり、文字表示部１６に表示された文字の表示方向と、入力部表示装置３４が表示する画像の表示方向とが異なる場合には、文字表示部１６に表示された文字種と、入力部表示装置３４が表示する文字種とが異なる場合として扱う。
【００７６】
次に、ステップＳ２２では、照度測定部４８は、光センサ２９が検出した照度と所定の閾値とを比較する。光センサ２９が検出した照度が所定の閾値以上の場合には、照度測定部４８は、携帯電話機１が暴露された環境は明るいと判断して表示停止信号を出力し、ステップＳ２３に進む。その他の場合には、照度測定部４８は、携帯電話機１が暴露された環境は暗いと判断して表示停止信号を出力し、ステップＳ２４に進む。
【００７７】
次に、ステップＳ２３では、主制御部４０は、照度測定部４８が出力した表示停止信号を表示制御部４３に入力する。表示制御部４３は、表示停止信号に基づいて、入力部表示装置３４を消灯し、または消灯状態を維持してステップＳ１に戻る。このとき、携帯電話機１が暴露された環境は明るいので、ユーザは、図８（Ａ）に示すように、文字表示部１６の表示からそれぞれのキートップ１９に割り当てられた文字や記号を知覚できる。したがって、携帯電話機１は、暴露された環境が明るいときは、入力部表示装置３４を発光させることなくバッテリパックの電力消費量を抑制できる。
【００７８】
次に、ステップＳ２４では、主制御部４０は、照度測定部４８が出力した表示開始信号を表示制御部４３に入力する。表示制御部４３は、表示開始信号に基づいて、入力部表示装置３４を点灯し、または点灯状態を維持してステップＳ２２に戻る。このとき、携帯電話機１が暴露された環境は暗いので、ユーザは、図８（Ｃ）に示すように、キートップ表示画像からそれぞれのキートップ１９に割り当てられた文字や記号を知覚できる。
【００７９】
次に、ステップＳ２５では、主制御部４０は、表示制御部４３が出力した異種文字種表示準備信号に基づき、表示開始信号を表示制御部４３に入力する。表示制御部４３は、表示開始信号に基づいて、入力部表示装置３４を点灯する。このとき、ユーザは、携帯電話機１が暴露された環境は明るくても暗くても、文字表示部１６の表示からそれぞれのキートップ１９に割り当てられた文字や記号を知覚できないが、図８（Ｂ）に示すように、キートップ表示画像からそれぞれのキートップ１９に割り当てられた文字や記号を知覚できる。
【００８０】
すなわち、携帯電話機１は、文字表示部１６に表示された文字種と、キートップ表示画像の文字種とが同じ場合には、その使用環境に応じて適宜に入力部表示装置３４の点灯状態と消灯状態とを切り換えて消費電力を抑制する。また、携帯電話機１は、文字表示部１６に表示された文字種と、キートップ表示画像の文字種とが異なる場合には、その使用環境に関わらずに入力部表示装置３４を点灯させる。したがって、携帯電話機１は、その使用環境と、文字表示部１６に表示された文字種とに応じて適宜に入力部表示装置３４の点灯状態と消灯状態とを切り換えて消費電力を抑制する。
【００８１】
また、携帯電話機１は、文字表示部１６に表示された文字の表示方向と、入力部表示装置３４が表示する文字の表示方向とが異なる場合には、その使用環境に関わらずに入力部表示装置３４を点灯させる。
【００８２】
図１０は、本発明に係る携帯端末装置の一例である折りたたみ式の携帯電話機の表示機能付操作入力部の表示制御の他の例を示したフローチャートである。
【００８３】
図１０に示すように、携帯電話機１は、文字表示部１６に表示された文字種と、入力部表示装置３４が表示する文字種とが同じ文字種か否かに応じて入力部表示装置３４の点灯または消灯を制御するとともに、文字表示部１６と入力部表示装置３４とが表示する文字種が同じ場合には、その使用環境に応じて入力部表示装置３４の点灯状態と消灯状態とを即座に切り換えず、ユーザによる携帯電話機１の操作の開始までは、入力部表示装置３４の点灯を待機する。また、携帯電話機１は、入力部表示装置３４が点灯してから、ユーザによる携帯電話機１の次の操作までに所定の時間が経過すると、入力部表示装置３４を消灯する。
【００８４】
なお、図１０のステップＳ３１の処理は、図９のステップＳ２１の処理と同様であり、説明が繰り返しになるので省略する。
【００８５】
ステップＳ３２では、照度測定部４８は、光センサ２９が検出した照度と、所定の閾値とを比較する。光センサ２９が検出した照度が所定の閾値以上の場合には、照度測定部４８は、携帯電話機１が暴露された環境は明るいと判断して表示停止信号を出力し、ステップＳ３３に進む。その他の場合には、照度測定部４８は、携帯電話機１が暴露された環境は暗いと判断して表示停止信号を出力し、ステップＳ３４に進む。
【００８６】
次に、ステップＳ３３では、主制御部４０は、照度測定部４８が出力した表示停止信号を表示制御部４３に入力する。表示制御部４３は、表示停止信号に基づいて、入力部表示装置３４を消灯し、または消灯状態を維持してステップＳ３２に戻る。このとき、携帯電話機１が暴露された環境は明るいので、ユーザは、図８（Ａ）に示すように、文字表示部１６の表示からそれぞれのキートップ１９に割り当てられた文字や記号を知覚できる。したがって、携帯電話機１は、暴露された環境が明るいときは、入力部表示装置３４を発光させることなくバッテリパックの電力消費量を抑制できる。
【００８７】
次に、ステップＳ３４では、主制御部４０は、表示機能付操作入力部１５の任意のキートップ１９が操作されたか否か判断する。具体的には、表示機能付操作入力部１５の任意のキートップ１９が操作されると、入力制御部４２は任意の操作信号を出力する。主制御部４０は、この任意の操作信号の入力の有無を監視する。任意の操作信号が入力された場合には、主制御部４０は、表示機能付操作入力部１５の任意のキートップ１９が操作されたと判断して、ステップＳ３５に進む。その他の場合には、主制御部４０は、表示機能付操作入力部１５の任意のキートップ１９が操作されていないと判断して、ステップＳ３２に戻る。
【００８８】
次に、ステップＳ３５では、主制御部４０は、照度測定部４８が出力した表示開始信号を表示制御部４３に入力する。表示制御部４３は、表示開始信号に基づいて、入力部表示装置３４を点灯し、または点灯状態を維持する。このとき、携帯電話機１が暴露された環境は暗いので、ユーザは、図８（Ｃ）に示すように、キートップ表示画像からそれぞれのキートップ１９に割り当てられた文字や記号を知覚できる。
【００８９】
次に、ステップＳ３６では、入力制御部４２は、表示機能付操作入力部１５の任意のキートップ１９が操作されてから経過した時間と、所定の時間とを比較する。具体的には、入力制御部４２は、任意の操作信号を出力してから経過した時間と、所定の時間とを比較する。任意の操作信号を出力してから経過した時間が所定の時間以上の場合には、入力制御部４２は、ユーザによる携帯電話機１の操作が所定の時間内は行われなかったと判断して操作停止信号を出力し、ステップＳ３８に進む。その他の場合には、入力制御部４２は、ユーザによる携帯電話機１の操作の操作が所定の時間内に行われたと判断して操作継続信号を出力し、ステップＳ３７に進む。
【００９０】
次に、ステップＳ３７では、照度測定部４８は、光センサ２９が検出した照度と、所定の閾値とを比較する。光センサ２９が検出した照度が所定の閾値以上の場合には、照度測定部４８は、携帯電話機１が暴露された環境は明るいと判断して表示停止信号を出力し、ステップＳ３８に進む。その他の場合には、照度測定部４８は、携帯電話機１が暴露された環境は暗いと判断して表示停止信号を出力し、ステップＳ３６に戻る。
【００９１】
次に、ステップＳ３８では、主制御部４０は、照度測定部４８が出力した表示停止信号を表示制御部４３に入力する。表示制御部４３は、表示停止信号に基づいて、入力部表示装置３４を消灯してステップＳ３２に戻る。このとき、携帯電話機１が暴露された環境は暗いが、ユーザによる携帯電話機１の操作が所定の時間内に行われなかったことからそれぞれのキートップ１９に割り当てられた文字や記号を知覚する必要が減じていると判断する。したがって、携帯電話機１は、暴露された環境が暗くても、入力部表示装置３４を発光させることなくバッテリパックの電力消費量を抑制できる。
【００９２】
次に、ステップＳ３９では、主制御部４０は、表示制御部４３が出力した異種文字種表示準備信号に基づき、表示開始信号を表示制御部４３に入力する。表示制御部４３は、表示開始信号に基づいて、入力部表示装置３４を点灯する。このとき、ユーザは、携帯電話機１が暴露された環境は明るくても暗くても、文字表示部１６の表示からそれぞれのキートップ１９に割り当てられた文字や記号を知覚できないが、図８（Ｂ）に示すように、キートップ表示画像からそれぞれのキートップ１９に割り当てられた文字や記号を知覚できる。
【００９３】
次に、ステップＳ４０では、入力制御部４２は、表示機能付操作入力部１５の任意のキートップ１９が操作されてから経過した時間と、所定の時間とを比較する。具体的には、入力制御部４２は、任意の操作信号を出力してから経過した時間と、所定の時間とを比較する。任意の操作信号を出力してから経過した時間が所定の時間以上の場合には、入力制御部４２は、ユーザによる携帯電話機１の操作が所定の時間内は行われなかったと判断して操作停止信号を出力し、ステップＳ４１に進む。その他の場合には、入力制御部４２は、ユーザによる携帯電話機１の操作の操作が所定の時間内に行われたと判断して操作継続信号を出力し、ステップＳ４０に戻る。
【００９４】
次に、ステップＳ４１では、主制御部４０は、入力制御部４２が出力した操作停止信号に基づき、表示停止信号を表示制御部４３に入力する。表示制御部４３は、表示停止信号に基づいて、入力部表示装置３４を消灯する。このとき、携帯電話機１が暴露された環境は暗いが、ユーザによる携帯電話機１の操作が所定の時間内に行われなかったことからそれぞれのキートップ１９に割り当てられた文字や記号を知覚する必要が減じていると判断する。したがって、携帯電話機１は、暴露された環境が暗くても、入力部表示装置３４を発光させることなくバッテリパックの電力消費量を抑制できる。
【００９５】
次に、ステップＳ４２では、主制御部４０は、表示機能付操作入力部１５の任意のキートップ１９が操作されたか否か判断する。具体的には、表示機能付操作入力部１５の任意のキートップ１９が操作されると、入力制御部４２は任意の操作信号を出力する。主制御部４０は、この任意の操作信号の入力の有無を監視する。任意の操作信号が入力された場合には、主制御部４０は、表示機能付操作入力部１５の任意のキートップ１９が操作されたと判断して、ステップＳ３９に戻る。その他の場合には、主制御部４０は、表示機能付操作入力部１５の任意のキートップ１９が操作されていないと判断して、ステップＳ４２に戻る。
【００９６】
すなわち、携帯電話機１は、文字表示部１６に表示された文字種と、キートップ表示画像が表示する文字種とが同じ文字種の場合には、その使用環境に応じて適宜に入力部表示装置３４の点灯状態と消灯状態とを切り換えて消費電力を抑制する。また、携帯電話機１は、文字表示部１６に表示された文字種と、キートップ表示画像が表示する文字種とが異なる文字種の場合には、その使用環境に関わらずに入力部表示装置３４を点灯する。さらに、携帯電話機１は、ユーザによる携帯電話機１の操作の有無に対応させて入力部表示装置３４を点灯または消灯する。したがって、携帯電話機１は、その使用環境と、文字表示部１６に表示された文字種と、ユーザによる操作の有無とに応じて適宜に入力部表示装置３４の点灯状態と消灯状態とを切り換えて消費電力を抑制する。
【００９７】
また、携帯電話機１は、文字表示部１６に表示された文字の表示方向と、入力部表示装置３４が表示する文字の表示方向とが異なる場合には、その使用環境に関わらずに入力部表示装置３４を点灯させる。
【００９８】
図１１は、本発明に係る携帯端末装置の一例である折りたたみ式の携帯電話機の表示機能付操作入力部の表示制御の他の例を示したフローチャートである。図１１に示すように、携帯電話機１は、文字表示部１６に表示された文字種と、入力部表示装置３４が表示する文字種とが同じ文字種か否かに応じて入力部表示装置３４の点灯または消灯を制御するとともに、表示機能付操作入力部１５から入力される文字種の変更に対応させて、入力部表示装置３４の点灯状態と消灯状態とを切り換える。
【００９９】
なお、図１１のステップＳ５１の処理は、図９のステップＳ２１の処理と同様であり、図１１のステップＳ５２の処理は、図９のステップＳ２２の処理と同様であり、図１１のステップＳ５６の処理は、図９のステップＳ２５の処理と同様であり、説明が繰り返しになるので省略する。
【０１００】
ステップＳ５３では、主制御部４０は、照度測定部４８が出力した表示停止信号を表示制御部４３に入力する。表示制御部４３は、表示停止信号に基づいて、入力部表示装置３４を消灯し、または消灯状態を維持してステップＳ５５に進む。このとき、携帯電話機１が暴露された環境は明るいので、ユーザは、図８（Ａ）に示すように、文字表示部１６の表示からそれぞれのキートップ１９に割り当てられた文字や記号を知覚できる。したがって、携帯電話機１は、暴露された環境が明るいときは、入力部表示装置３４を発光させることなくバッテリパックの電力消費量を抑制できる。
【０１０１】
次に、ステップＳ５４では、主制御部４０は、照度測定部４８が出力した表示開始信号を表示制御部４３に入力する。表示制御部４３は、表示開始信号に基づいて、入力部表示装置３４を点灯し、または点灯状態を維持する。このとき、携帯電話機１が暴露された環境は暗いので、ユーザは、図８（Ｃ）に示すように、キートップ表示画像の表示からそれぞれのキートップ１９に割り当てられた文字や記号を知覚できる。
【０１０２】
次に、ステップＳ５５では、主制御部４０は、表示機能付操作入力部１５のうち文字種選択キー２３が操作されたか否か判断する。具体的には、表示機能付操作入力部１５の文字種選択キー２３が操作されると、入力制御部４２は選択中の文字種を表す文字種信号を出力する。主制御部４０は、この文字種信号の入力の有無を監視する。文字種信号が入力された場合には、主制御部４０は、表示機能付操作入力部１５の文字種選択キー２３が操作されたと判断して、ステップＳ５１に戻る。その他の場合には、主制御部４０は、表示機能付操作入力部１５の文字種選択キー２３が操作されていないと判断して、ステップＳ５２に戻る。
【０１０３】
次に、ステップＳ５７では、主制御部４０は、表示機能付操作入力部１５のうち文字種選択キー２３が操作されたか否か判断する。具体的には、表示機能付操作入力部１５の文字種選択キー２３が操作されると、入力制御部４２は選択中の文字種を表す文字種信号を出力する。主制御部４０は、この文字種信号の入力の有無を監視する。文字種信号が入力された場合には、主制御部４０は、表示機能付操作入力部１５の文字種選択キー２３が操作されたと判断して、ステップＳ５１に戻る。その他の場合には、主制御部４０は、表示機能付操作入力部１５の文字種選択キー２３が操作されていないと判断して、ステップＳ５７に戻る。
【０１０４】
すなわち、携帯電話機１は、文字表示部１６に表示された文字種と、キートップ表示画像が表示する文字種とが同じには、その使用環境に応じて適宜に入力部表示装置３４の点灯状態と消灯状態とを切り換えて消費電力を抑制する。また、携帯電話機１は、文字表示部１６に表示された文字種と、キートップ表示画像が表示する文字種とが異なる場合には、その使用環境に関わらずに入力部表示装置３４を点灯する。さらに、表示機能付操作入力部１５から入力可能な文字種を変更すると、これに対応して入力部表示装置３４が表示する文字種を適宜に変更する。したがって、携帯電話機１は、その使用環境と、文字表示部１６に表示された文字種と、表示機能付操作入力部１５から入力される文字種の変更とに応じて適宜に入力部表示装置３４の点灯状態と消灯状態とを切り換えて消費電力を抑制する。
【０１０５】
また、携帯電話機１は、文字表示部１６に表示された文字の表示方向と、入力部表示装置３４が表示する文字の表示方向とが異なる場合には、その使用環境に関わらずに入力部表示装置３４を点灯させる。
【０１０６】
図１２は、本発明に係る携帯端末装置の一例である折りたたみ式の携帯電話機の表示機能付操作入力部の表示制御の他の例を示したフローチャートである。
【０１０７】
図１２に示すように、携帯電話機１は、文字表示部１６に表示された文字種と、入力部表示装置３４が表示する文字種とが同じ文字種か否かに応じて入力部表示装置３４の点灯または消灯する。また、携帯電話機１は、文字表示部１６と入力部表示装置３４とが表示する文字種が同じ場合には、その使用環境に応じて入力部表示装置３４の点灯状態と消灯状態とを即座に切り換えず、ユーザによる携帯電話機１の操作の開始までは、入力部表示装置３４の点灯を待機する。さらに、携帯電話機１は、表示機能付操作入力部１５から入力される文字種の変更に対応させて、入力部表示装置３４の点灯状態と消灯状態とを切り換える。さらにまた、携帯電話機１は、入力部表示装置３４が点灯してから、ユーザによる携帯電話機１の次の操作までに所定の時間が経過すると、入力部表示装置３４を消灯する。
【０１０８】
なお、図１２のステップＳ６１の処理は、図９のステップＳ２１の処理と同様であり、図１２のステップＳ６２、ステップＳ６５からＳ６７、ステップＳ７０、ステップＳ７１、ステップＳ７４、およびステップＳ７５の処理は、図１０のステップＳ３２、ステップＳ３４からＳ３６、ステップＳ３８、ステップＳ３９、ステップＳ４１、およびステップＳ４２の処理と同様であり、説明が繰り返しになるので省略する。
【０１０９】
次に、ステップＳ６３では、主制御部４０は、照度測定部４８が出力した表示停止信号を表示制御部４３に入力する。表示制御部４３は、表示停止信号に基づいて、入力部表示装置３４を消灯し、または消灯状態を維持する。このとき、携帯電話機１が暴露された環境は明るいので、ユーザは、図８（Ａ）に示すように、文字表示部１６の表示からそれぞれのキートップ１９に割り当てられた文字や記号を知覚できる。したがって、携帯電話機１は、暴露された環境が明るいときは、入力部表示装置３４を発光させることなくバッテリパックの電力消費量を抑制できる。
【０１１０】
次に、ステップＳ６４では、主制御部４０は、表示機能付操作入力部１５のうち文字種選択キー２３が操作されたか否か判断する。具体的には、表示機能付操作入力部１５の文字種選択キー２３が操作されると、入力制御部４２は選択中の文字種を表す文字種信号を出力する。主制御部４０は、この文字種信号の入力の有無を監視する。文字種信号が入力された場合には、主制御部４０は、表示機能付操作入力部１５の文字種選択キー２３が操作されたと判断して、ステップＳ６１に戻る。その他の場合には、主制御部４０は、表示機能付操作入力部１５の文字種選択キー２３が操作されていないと判断して、ステップＳ６２に戻る。
【０１１１】
次に、ステップＳ６８では、照度測定部４８は、光センサ２９が検出した照度と、所定の閾値とを比較する。光センサ２９が検出した照度が所定の閾値以上の場合には、照度測定部４８は、携帯電話機１が暴露された環境は明るいと判断して表示停止信号を出力し、ステップＳ７０に進む。その他の場合には、照度測定部４８は、携帯電話機１が暴露された環境は暗いと判断して表示停止信号を出力し、ステップＳ６９に進む。
【０１１２】
次に、ステップＳ６９では、主制御部４０は、表示機能付操作入力部１５のうち文字種選択キー２３が操作されたか否か判断する。具体的には、表示機能付操作入力部１５の文字種選択キー２３が操作されると、入力制御部４２は選択中の文字種を表す文字種信号を出力する。主制御部４０は、この文字種信号の入力の有無を監視する。文字種信号が入力された場合には、主制御部４０は、表示機能付操作入力部１５の文字種選択キー２３が操作されたと判断して、ステップＳ６１に戻る。その他の場合には、主制御部４０は、表示機能付操作入力部１５の文字種選択キー２３が操作されていないと判断して、ステップＳ６７に戻る。
【０１１３】
次に、ステップＳ７２では、入力制御部４２は、表示機能付操作入力部１５の任意のキートップ１９が操作されてから経過した時間と、所定の時間とを比較する。具体的には、入力制御部４２は、任意の操作信号を出力してから経過した時間と、所定の時間とを比較する。任意の操作信号を出力してから経過した時間が所定の時間以上の場合には、入力制御部４２は、ユーザによる携帯電話機１の操作が所定の時間内は行われなかったと判断して操作停止信号を出力し、ステップＳ７４に進む。その他の場合には、入力制御部４２は、ユーザによる携帯電話機１の操作の操作が所定の時間内に行われたと判断して操作継続信号を出力し、ステップＳ７３に進む。
【０１１４】
次に、ステップＳ７３では、主制御部４０は、表示機能付操作入力部１５のうち文字種選択キー２３が操作されたか否か判断する。具体的には、表示機能付操作入力部１５の文字種選択キー２３が操作されると、入力制御部４２は選択中の文字種を表す文字種信号を出力する。主制御部４０は、この文字種信号の入力の有無を監視する。文字種信号が入力された場合には、主制御部４０は、表示機能付操作入力部１５の文字種選択キー２３が操作されたと判断して、ステップＳ６１に戻る。その他の場合には、主制御部４０は、表示機能付操作入力部１５の文字種選択キー２３が操作されていないと判断して、ステップＳ７２に戻る。
【０１１５】
すなわち、携帯電話機１は、暴露された環境が明るい場合には入力部表示装置３４を消灯し、暴露された環境が暗い場合にはユーザによる携帯電話機１の操作の有無に対応させて入力部表示装置３４を点灯または消灯する。ユーザは、携帯電話機１が暴露された環境が明るい場合には文字表示部１６の表示からそれぞれのキートップ１９に割り当てられた文字や記号を知覚し、携帯電話機１が暴露された環境が暗い場合であって、携帯電話機１の操作を行う場合にはキートップ表示画像の表示からそれぞれのキートップ１９に割り当てられた文字や記号を知覚する。また、携帯電話機１は、文字表示部１６に表示された文字種と、キートップ表示画像が表示する文字種とが同じ場合には、その使用環境に応じて適宜に入力部表示装置３４の点灯状態と消灯状態とを切り換えて消費電力を抑制する。さらに、携帯電話機１は、文字表示部１６に表示された文字種と、キートップ表示画像が表示する文字種とが異なる場合には、その使用環境に関わらずに入力部表示装置３４を点灯する。さらにまた、表示機能付操作入力部１５から入力可能な文字種を変更すると、これに対応して入力部表示装置３４が表示する文字種を適宜に変更する。したがって、携帯電話機１は、その使用環境と、文字表示部１６に表示された文字種と、ユーザによる操作の有無と、表示機能付操作入力部１５から入力される文字種の変更とに応じて適宜に入力部表示装置３４の点灯状態と消灯状態とを切り換えて消費電力を抑制する。
【０１１６】
また、携帯電話機１は、文字表示部１６に表示された文字の表示方向と、入力部表示装置３４が表示する文字の表示方向とが異なる場合には、その使用環境に関わらずに入力部表示装置３４を点灯させる。
【０１１７】
したがって、本実施形態に係る携帯端末装置は、任意の画像を表示できるキートップ１９を備え、消費電力が極めて少なく、長時間に亘って使用可能である。
【０１１８】
なお、本発明は、携帯電話機１以外にも、ＰＤＡ（Ｐｅｒｓｏｎａｌ  Ｄｉｇｉｔａｌ  Ａｓｓｉｓｔａｎｔ）、パーソナルコンピュータ、携帯型ゲーム機、携帯型音楽再生機、携帯型動画再生機、その他の携帯端末装置にも適用することができる。
【０１１９】
また、本発明の実施形態において説明した一連の処理は、ソフトウェアにより実行させることもできるが、ハードウェアにより実行させることもできる。
【０１２０】
さらに、本発明の実施形態では、フローチャートのステップは、記載された順序に沿って時系列的に行われる処理の例を示したが、必ずしも時系列的に処理されなくとも、並列的あるいは個別実行される処理をも含むものである。
【図面の簡単な説明】
【０１２１】
【図１】本発明に係る携帯端末装置の一例である折りたたみ式の携帯電話機の外観図。
【図２】本発明に係る携帯端末装置の一例である折りたたみ式の携帯電話機の状態の変化を示した図。
【図３】本発明に係る携帯端末装置の一例である折りたたみ式の携帯電話機の表示機能付操作入力部の部分的な断面図。
【図４】本発明に係る携帯端末装置の一例である折りたたみ式の携帯電話機を示したブロック図。
【図５】本発明に係る携帯端末装置の一例である折りたたみ式の携帯電話機を開いた状態で示した正面図であり、表示機能付操作入力部の表示状態の一例を示した図。
【図６】本発明に係る携帯端末装置の一例である折りたたみ式の携帯電話機の表示機能付操作入力部の表示制御を示したフローチャート。
【図７】本発明に係る携帯端末装置の一例である折りたたみ式の携帯電話機の表示機能付操作入力部の表示制御の他の例を示したフローチャート。
【図８】本発明に係る携帯端末装置の一例である折りたたみ式の携帯電話機を開いた状態で示した正面図であり、表示機能付操作入力部の表示状態の一例を示した図。
【図９】本発明に係る携帯端末装置の一例である折りたたみ式の携帯電話機の表示機能付操作入力部の表示制御の他の例を示したフローチャート。
【図１０】本発明に係る携帯端末装置の一例である折りたたみ式の携帯電話機の表示機能付操作入力部の表示制御の他の例を示したフローチャート。
【図１１】本発明に係る携帯端末装置の一例である折りたたみ式の携帯電話機の表示機能付操作入力部の表示制御の他の例を示したフローチャート。
【図１２】本発明に係る携帯端末装置の一例である折りたたみ式の携帯電話機の表示機能付操作入力部の表示制御の他の例を示したフローチャート。
【符号の説明】
【０１２２】
１  携帯電話機
１１  ヒンジ部
１２  第１の筐体
１３  第２の筐体
１５  表示機能付操作入力部
１６  文字表示部
１８  マイクロフォン
１９  キートップ
２０  発呼キー
２１  終話キー
２２  電源キー
２３  文字種選択キー
２４  文字入力操作キー
２７  主表示装置
２８  スピーカ
２９  光センサ
３０ａ、３０ｂ、３０ｃ  磁気測定部
３３  スイッチ回路基板
３４  入力部表示装置
３５  突出部
３６  接点
３７  開口部
４０  主制御部
４１  電源回路部
４２  入力制御部
４３  表示制御部
４４  記憶部
４５  音声制御部
４６  通信制御部
４７  タイマ
４８  照度測定部
５１  アンテナ
【図１】
2010028474.tif 000003
【図２】
2010028474.tif 000004
【図３】
2010028474.tif 000005
【図４】
2010028474.tif 000006
【図５】
2010028474.tif 000007
【図６】
2010028474.tif 000008
【図７】
2010028474.tif 000009
【図８】
2010028474.tif 000010
【図９】
2010028474.tif 000011
【図１０】
2010028474.tif 000012
【図１１】
2010028474.tif 000013
【図１２】
2010028474.tif 000014